(57)【要約】      （修正有）【課題】購入者の携帯端末が指紋センサを搭載していなくても転売防止を実現可能な、チケット販売システムを提供する。【解決手段】チケット販売システム１００は、撮像部を有する携帯端末と、画像処理部と、記録部と、チケット発行部と、制御部と、チケットに付与された識別情報を読み取るチケット読取部と、入場者の指紋情報を読み取る指紋読取部と、を有する入場管理装置を含む。撮像部は、購入者の指先を撮影して指先画像を取得し、画像処理部は、少なくとも指先画像から指紋特徴量を抽出し、記録部は少なくとも購入者の識別情報と指紋特徴量との組を記録し、チケット発行部は、識別情報を付与したチケットを発行し、制御部はチケット読取部を介して識別情報を取得し、記録部に記録された当該識別情報に対応する指紋特徴量と、指紋読取部を介して取得した指紋情報とを照合し、入場者と購入者とが同一人物であるかを判定する。【選択図】図１
2019152993.tif 000002
【特許請求の範囲】
【請求項１】
撮像部を有する携帯端末と、
画像処理部と、
記録部と、
チケット発行部と、
制御部と、
チケットに付与された識別情報を読み取るチケット読取部と、
入場者の指紋情報を読み取る指紋読取部と、を含み、
前記撮像部は、購入者の指先を撮影して指先画像を取得し、
前記画像処理部は、少なくとも前記指先画像から指紋特徴量を抽出し、
前記記録部は、少なくとも前記購入者の識別情報と前記指紋特徴量との組を記録し、
前記チケット発行部は、前記識別情報を付与したチケットを発行し、
前記制御部は、
前記チケット読取部を介して前記識別情報を取得し、
前記記録部に記録された当該識別情報に対応する指紋特徴量と、前記指紋読取部を介して取得した指紋情報とを照合し、前記入場者と前記購入者とが同一人物であるかを判定する、チケット販売システム。
【請求項２】
前記指紋読取部は、前記入場者の指先を撮影して指先画像を取得するカメラであり、
前記画像処理部は、さらに、前記入場者の指先画像から指紋特徴量を抽出する、請求項１に記載のチケット販売システム。
【請求項３】
抽出部をさらに含み、
前記指紋読取部は、接触式の指紋センサであり、
前記抽出部は、前記指紋センサが読み取った入場者の指紋情報から指紋特徴量を抽出し、
前記画像処理部は、さらに、前記購入者の指紋特徴量を前記入場者の指紋特徴量と照合可能に変換する、請求項１に記載のチケット販売システム。
【請求項４】
前記携帯端末は、表示部をさらに含み、
前記表示部は、前記購入者に対して指先の撮影位置を指示するためのガイド画像を表示する、請求項１乃至３のいずれか１項に記載のチケット販売システム。
【請求項５】
前記撮像部は、購入者の複数の指先を撮影する、請求項１乃至４のいずれか１項に記載のチケット販売システム。
【請求項６】
請求項１に記載の制御部と、
前記チケット読取部と、
前記指紋読取部と、を有する入場管理装置。
【請求項７】
撮像部を有する携帯端末を用いたチケット販売方法であって、
画像処理工程と、
記録工程と、
チケット発行工程と、
制御工程と、
チケットに付与された識別情報を読み取るチケット読取工程と、
入場者の指紋情報を読み取る指紋読取工程と、を含み、
前記撮像部は、購入者の指先を撮影して指先画像を取得し、
前記画像処理工程は、少なくとも前記指先画像から指紋特徴量を抽出し、
前記記録工程は、少なくとも前記購入者の識別情報と前記指紋特徴量との組を記録し、
前記チケット発行工程は、前記識別情報を付与したチケットを発行し、
前記制御工程は、
前記チケット読取工程を介して前記識別情報を取得し、
前記記録工程において記録された当該識別情報に対応する指紋特徴量と、前記指紋読取工程を介して取得した指紋情報とを照合し、前記入場者と前記購入者が同一人物であるかを判定する、チケット販売方法。
【請求項８】
撮像部を有する携帯端末を用いたチケット販売プログラムであって、
画像処理プロセスと、
記録処理と、
チケット発行処理と、
制御処理と、
チケットに付与された識別情報を読み取るチケット読取処理と、
入場者の指紋情報を読み取る指紋読取処理と、を含み、
前記撮像部は、購入者の指先を撮影して指先画像を取得し、
前記画像処理プロセスは、少なくとも前記指先画像から指紋特徴量を抽出し、
前記記録処理は、少なくとも前記購入者の識別情報と前記指紋特徴量との組を記録し、
前記チケット発行処理は、前記識別情報を付与したチケットを発行し、
前記制御処理は、
前記チケット読取処理を介して前記識別情報を取得し、
前記記録処理において記録された当該識別情報に対応する指紋特徴量と、前記指紋読取処理を介して取得した指紋情報とを照合し、前記入場者と前記購入者が同一人物であるかを判定する、チケット販売プログラム。
【請求項９】
撮像部を有する携帯端末と、
画像処理部と、
記録部と、
年齢確認カード発行部と、
制御部と、
年齢確認カードに付与された識別情報を読み取る年齢確認カード読取部と、
利用者の指紋情報を読み取る指紋読取部と、を含み、
前記撮像部は、登録者の指先を撮影して指先画像を取得し、
前記画像処理部は、少なくとも前記指先画像から指紋特徴量を抽出し、
前記記録部は、少なくとも前記利用者の識別情報と前記指紋特徴量との組を記録し、
前記年齢確認カード発行部は、前記識別情報を付与した年齢確認カードを発行し、
前記制御部は、
前記年齢確認カード読取部を介して前記識別情報を取得し、
前記記録部に記録された当該識別情報に対応する指紋特徴量と、前記指紋読取部を介して取得した指紋情報とを照合し、前記登録者と前記利用者とが同一人物であるかを判定する、年齢確認システム。
【請求項１０】
撮像部を有する携帯端末と、
指紋読取部を有する解錠装置と、
画像処理部と、
記録部と、
予約管理部と、
制御部と、を含み、
前記撮像部は、予約者の指先を撮影して指先画像を取得し、
前記画像処理部は、少なくとも前記指先画像から指紋特徴量を抽出し、
前記予約管理部は、少なくとも前記解錠装置の利用開始時刻と利用終了時刻とを予約情報として生成し、
前記記録部は、少なくとも前記予約情報と前記指紋特徴量との組を記録し、
前記制御部は、
前記記録部に記録された当該予約情報に対応する指紋特徴量と、前記指紋読取部を介して取得した指紋情報とを照合し、両者が一致する場合にのみ前記解錠装置が解錠を行う、予約システム。
【発明の詳細な説明】
【技術分野】
【０００１】
本発明は、指紋認証を用いたチケット販売システムおよびその応用に関する。
【背景技術】
【０００２】
従来から、生体認証を用いて転売を防止することを目的としたチケット販売方法が考案されている。
【０００３】
例えば、特許文献１（特開２００４−２９５１９７号公報）には、指紋、声紋などの生体情報を利用した電子チケット販売システムおよび販売方法が開示されている。
【０００４】
特許文献１の技術は、コンサート、スポーツイベント、列車、飛行機、船などの乗り物のチケットに指紋、声紋などの生体情報を含んだ電子証明書を付加し、ネットワークを介してそれを携帯電話に送信して、携帯電話もしくはユーザ端末のＩＣカードをチケットとするチケット販売システムを特徴とする。このチケット販売システムは、チケット自体にチケット購入者の生体情報が含まれているので、チケット購入者がスポーツイベント、コンサートの入場時、または列車、飛行機、船などへの搭乗時にその場で認証確認を行うことを可能にしている。
【０００５】
また、特許文献２（特開２０１６−１１０２０９号公報）には、イベント会場で顔認証を行うにあたり、申込者の顔写真作成の手間を軽減したチケット発行装置及びチケット発行システムが開示されている。
【０００６】
特許文献２の技術は、管理サーバにチケット購入の申し込みを行ってチケットを購入し、該管理サーバから購入チケットに対応するＩＤが通知された購入者にチケットを発行するチケット発行装置であって、前記購入者から前記ＩＤの入力を受け付ける入力部と、入力されたＩＤを前記管理サーバへ送信し、該ＩＤに対応するチケット情報を取得する取得部と、前記購入者を撮影し、顔画像を生成する撮影部と、前記顔画像を、入力されたＩＤと共に前記管理サーバへ送信する通信部と、前記顔画像及び前記チケット情報を用いてチケット画像を生成する生成部と、前記チケット画像を印画物にプリントしてチケットを発行するプリンタと、を備えるものである。
【０００７】
さらに、特許文献３（米国特許出願公開第２０１６／０１８９０６３号明細書）には、指紋認証を用いたイベントの入場システムが開示されている。
【０００８】
特許文献３の技術は、ユーザはチケットの購入時に指紋を指紋認証システムに登録する。指紋認証システムは、チケットとユーザの指紋を関連付けて記録する。イベントの入場時、ユーザは入口に設置された指紋読取装置で指紋をスキャンする。指紋認証システムはスキャンされた指紋と登録された指紋を比較し、一致すればユーザの入場が可能となるものである。
【先行技術文献】
【特許文献】
【０００９】
【特許文献１】特開２００４−２９５１９７号公報
【特許文献２】特開２０１６−１１０２０９号公報
【特許文献３】米国特許出願公開第２０１６／０１８９０６３号明細書
【発明の概要】
【発明が解決しようとする課題】
【００１０】
しかしながら、特許文献１の技術は、生体情報を含んだ電子証明書を発行する必要がある。そのため、ユーザにとっては手間がかかり、さらに電子証明書の発行コストもかかる。
【００１１】
また、特許文献２の技術は、チケット発行会社に自身の顔画像を送る必要がある。そのため、個人情報の流出を懸念し、心理的な抵抗を感じる人が少なくない。
【００１２】
さらに、特許文献３の技術は、スマートフォンなどの携帯端末に搭載されている指紋センサを利用している。しかし、指紋センサを搭載していないスマートフォンはいまだに多く存在する。そのため、すべての購入希望者が自分のスマートフォンを使って登録することができない。
【００１３】
本発明の主な目的は、購入者の携帯端末が指紋センサを搭載していなくても転売防止を実現可能な、チケット販売システム、入場管理装置、チケット販売方法、およびチケット販売プログラムを提供することである。
本発明の他の目的は、非接触の指紋認証を用いて、購入者の携帯端末が指紋センサを搭載していなくても転売防止を実現可能なチケット販売システムおよびチケット販売方法を提供することである。
本発明の他の目的は、登録者の携帯端末に指紋センサが搭載されていなくても実現可能な、指紋認証による年齢確認システムを提供することである。
本発明の他の目的は、予約者の携帯端末に指紋センサが搭載されていなくても実現可能な、指紋認証による予約システムを提供することである。
【課題を解決するための手段】
【００１４】
（１）
一局面に従うチケット販売システムは、撮像部を有する携帯端末と、画像処理部と、記録部と、チケット発行部と、制御部と、チケットに付与された識別情報を読み取るチケット読取部と、入場者の指紋情報を読み取る指紋読取部と、を含み、撮像部は、購入者の指先を撮影して指先画像を取得し、画像処理部は、少なくとも指先画像から指紋特徴量を抽出し、記録部は、少なくとも購入者の識別情報と指紋特徴量の組を記録し、チケット発行部は、識別情報を付与したチケットを発行し、制御部は、チケット読取部を介して識別情報を取得し、記録部に記録された当該識別情報に対応する指紋特徴量と、指紋読取部を介して取得した指紋情報とを照合し、入場者と購入者が同一人物であるかを判定するものである。
【００１５】
この場合、購入者の携帯端末に指紋センサが搭載されていない場合であっても、指紋認証によるチケット販売システムを実現できる。また、その結果、チケットの転売を防止することができる。
【００１６】
（２）
第２の発明にかかるチケット販売システムは、一局面に従うチケット販売システムにおいて、指紋読取部は、入場者の指先を撮影して指先画像を取得するカメラであり、画像処理部は、さらに、入場者の指先画像から指紋特徴量を抽出してもよい。
【００１７】
この場合、非接触の指紋認証によるチケット販売システムを実現できる。
【００１８】
（３）
第３の発明にかかるチケット販売システムは、一局面に従うチケット販売システムにおいて、抽出部をさらに含み、指紋読取部は、接触式の指紋センサであり、抽出部は、指紋センサが読み取った入場者の指紋情報から指紋特徴量を抽出し、画像処理部は、さらに、購入者の指紋特徴量を入場者の指紋特徴量と照合可能に変換してもよい。
【００１９】
この場合、入場者は指紋を指紋センサに直接入力するため、指紋認証の処理速度を速くすることができる。
【００２０】
（４）
第４の発明にかかるチケット販売システムは、一局面乃至第３の発明のうち、いずれかの発明にかかるチケット販売システムにおいて、携帯端末は、表示部をさらに含み、表示部は、購入者に対して指先の撮影位置を指示するためのガイド画像を表示してもよい。
【００２１】
この場合、購入者にとっては指先の撮影が簡便になる。また、指先の画像からの指紋の抽出が容易になる。
【００２２】
（５）
第５の発明にかかるチケット販売システムは、一局面乃至第３の発明にかかるチケット販売システムにおいて、撮像部は、購入者の複数の指先を撮影してもよい。
【００２３】
この場合、複数の指紋を用いることができるため、高精度な指紋認証を実現できる。また、指紋の偽造を困難にすることができる。
【００２４】
（６）
第６の発明にかかる入場管理装置は、一局面に従うチケット販売システムにおける制御部と、チケット読取部と、指紋読取部と、を有するものである。
【００２５】
この場合、一つの入場管理装置を用いてチケットの読み取りと、指紋の読み取りと、指紋認証とを行うことができる。
【００２６】
（７）
第７の発明にかかるチケット販売方法は、撮像部を有する携帯端末を用いたチケット販売方法であって、画像処理工程と、記録工程と、チケット発行工程と、制御工程と、チケットに付与された識別情報を読み取るチケット読取工程と、入場者の指紋情報を読み取る指紋読取工程と、を含み、撮像部は、購入者の指先を撮影して指先画像を取得し、画像処理工程は、少なくとも指先画像から指紋特徴量を抽出し、記録工程は、少なくとも購入者の識別情報と指紋特徴量との組を記録し、チケット発行工程は、識別情報を付与したチケットを発行し、制御工程は、チケット読取工程を介して識別情報を取得し、記録工程において記録された当該識別情報に対応する指紋特徴量と、指紋読取工程を介して取得した指紋情報とを照合し、入場者と購入者が同一人物であるかを判定するものである。
【００２７】
この場合、購入者の携帯端末に指紋センサが搭載されていない場合であっても、指紋認証によるチケット販売方法を実現できる。また、その結果、チケットの転売を防止することができる。
【００２８】
（８）
第８の発明にかかるチケット販売プログラムは、撮像部を有する携帯端末を用いたチケット販売プログラムであって、画像処理プロセスと、記録処理と、チケット発行処理と、制御処理と、チケットに付与された識別情報を読み取るチケット読取処理と、入場者の指紋情報を読み取る指紋読取処理と、を含み、撮像部は、購入者の指先を撮影して指先画像を取得し、画像処理プロセスは、少なくとも指先画像から指紋特徴量を抽出し、記録処理は、少なくとも購入者の識別情報と指紋特徴量との組を記録し、チケット発行処理は、識別情報を付与したチケットを発行し、制御処理は、チケット読取処理を介して識別情報を取得し、記録処理において記録された当該識別情報に対応する指紋特徴量と、指紋読取処理を介して取得した指紋情報とを照合し、入場者と購入者が同一人物であるかを判定するものである。
【００２９】
この場合、購入者の携帯端末に指紋センサが搭載されていない場合であっても、指紋認証によるチケット販売プログラムを実現できる。また、その結果、チケットの転売を防止することができる。
【００３０】
（９）
第９の発明にかかる年齢確認システムは、撮像部を有する携帯端末と、画像処理部と、記録部と、年齢確認カード発行部と、制御部と、年齢確認カードに付与された識別情報を読み取る年齢確認カード読取部と、利用者の指紋情報を読み取る指紋読取部と、を含み、撮像部は、登録者の指先を撮影して指先画像を取得し、画像処理部は、少なくとも指先画像から指紋特徴量を抽出し、記録部は、少なくとも利用者の識別情報と指紋特徴量との組を記録し、年齢確認カード発行部は、識別情報を付与した年齢確認カードを発行し、制御部は、年齢確認カード読取部を介して識別情報を取得し、記録部に記録された当該識別情報に対応する指紋特徴量と、指紋読取部を介して取得した指紋情報とを照合し、登録者と利用者とが同一人物であるかを判定するものである。
【００３１】
この場合、登録者の携帯端末に指紋センサが搭載されていない場合であっても、指紋認証による年齢確認システムを実現できる。その結果、法律で販売が規制されている商品について、未成年者が他人の年齢確認カードを使って購入することを防止できる。
【００３２】
（１０）
第１０の発明にかかる予約システムは、撮像部を有する携帯端末と、指紋読取部を有する解錠装置と、画像処理部と、記録部と、予約管理部と、制御部と、を含み、撮像部は、予約者の指先を撮影して指先画像を取得し、画像処理部は、少なくとも指先画像から指紋特徴量を抽出し、予約管理部は、少なくとも解錠装置の利用開始時刻と利用終了時刻とを予約情報として生成し、記録部は、少なくとも予約情報と指紋特徴量との組を記録し、指紋読取部は、利用者の指紋情報を読み取り、制御部は、記録部に記録された当該予約情報に対応する指紋特徴量と、指紋読取部を介して取得した指紋情報とを照合し、予約者と利用者とが同一人物であるかを判定するものである。
【００３３】
この場合、予約者の携帯端末に指紋センサが搭載されていない場合であっても、指紋認証による予約システムを実現できる。その結果、指紋を鍵として予約した施設等の解錠を行うことができる。また、利用者は施設等の利用前に鍵を受け取る必要がなく、さらに利用中も鍵を持ち歩く必要がない。
【図面の簡単な説明】
【００３４】
【図１】第１の実施の形態にかかるチケット販売システムの概略構成の一例を示す模式図である。
【図２】第１の実施の形態にかかるチケット発行手続の一例を示すフローチャートである。
【図３】第１の実施の形態にかかる指紋認証手続の一例を示すフローチャートである。
【図４】第２の実施の形態にかかるチケット販売システムの概略構成の一例を示す模式図である。
【図５】第２の実施の形態にかかる指紋認証手続の一例を示すフローチャートである。
【図６】ガイド画像の一例を示す模式図である。
【図７】指先画像の撮影距離・撮影角度のばらつきを示す図である。
【図８】第３の実施の形態にかかる年齢確認システムの概略構成の一例を示す模式図である。
【図９】第３の実施の形態にかかる年齢確認手続の一例を示すフローチャートである。
【図１０】年齢確認機能付き自動販売機の一例を示す模式図である。
【図１１】第４の実施の形態にかかる予約システムの概略構成の一例を示す模式図である。
【図１２】第４の実施の形態にかかる予約手続の一例を示すフローチャートである。
【図１３】第４の実施の形態にかかる解錠手続の一例を示すフローチャートである。
【図１４】解錠装置の一例を示す模式図である。
【発明を実施するための形態】
【００３５】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００３６】
＜実施の形態＞
（第１の実施の形態）
図１は、第１の実施の形態にかかるチケット販売システム１００の概略構成の一例を示す模式図である。
【００３７】
（第１の実施の形態にかかるチケット販売システム１００）
図１に示すように、第１の実施の形態にかかるチケット販売システム１００は、入場管理装置２００、サーバ装置３００、携帯端末４００、ネットワーク５００、およびチケット６００からなる。また、指７００は購入者による指紋の登録に用いられ、指７０５は入場者による指紋認証に用いられる。
【００３８】
（指７００および指７０５）
説明の便宜上、購入者が指紋の登録に用いる指を指７００とし、入場者が指紋認証に用いる指を指７０５とする。購入者と入場者とが同一人物である場合、指７００と指７０５とは同一である。指７００および指７０５の本数は、一本に限られず、複数であってもよい。また、指７００および指７０５は手のどの指であってもよい。例えば、金融機関などに指紋が登録されている指とは異なる指を用いてもよい。
【００３９】
（指紋特徴量７１０および指紋特徴量７１５）
指紋特徴量７１０および指紋特徴量７１５は、指紋の照合に用いられる情報である。説明の便宜上、指７００から抽出されたものを指紋特徴量７１０とし、指７０５から抽出されたものを指紋特徴量７１５とする。指紋特徴量７１０および指紋特徴量７１５には、紋様のパターン、隆線の長さ、中心点・三角州・終止点・分岐点等の特徴点の位置情報が含まれる。
【００４０】
（入場管理装置２００）
第１の実施の形態において、入場管理装置２００は制御部２１０、チケット読取部２２０、カメラ２３０、および画像処理部２４０を含む。入場管理装置２００は、イベント会場またはコンサート会場など、チケット６００を購入した者のみが入場できる場所の入口に設置される。
【００４１】
（制御部２１０）
制御部２１０は、チケット読取部２２０を介してチケット６００の識別情報６１０を取得する。また、制御部２１０は、画像処理部２４０を介して入場者の指紋特徴量７１５を取得する。さらに、制御部２１０は、ネットワーク５００を介してサーバ装置３００に接続し、指紋認証を行う。これらの処理の詳細については後述する。
【００４２】
（チケット読取部２２０）
チケット読取部２２０は、チケット６００に記録された識別情報６１０を読み取る装置である。チケット読取部２２０は、例えば、バーコードリーダー、ＱＲコード（登録商標）リーダー、ＩＣカードの読取装置などである。あるいは、チケット読取部２２０は、入場者に識別情報６１０を手入力させる装置であってもよい。
【００４３】
（カメラ２３０）
カメラ２３０は、指７０５の指先を撮影し、指先画像を取得する装置である。指先画像は、少なくとも指紋の画像を含む。また、指先画像は指先の形状、肌色、関節の位置などの情報を含んでも良い。さらに、カメラ２３０は、ライトまたはフラッシュなど、光量を調節する機能を備えていてもよい。
【００４４】
（画像処理部２４０）
画像処理部２４０は、指７０５の指先画像に対して前処理を行い、指紋特徴量７１５を抽出する装置である。前処理と指紋特徴量７１５の抽出については後述する。
【００４５】
（サーバ装置３００）
サーバ装置３００は、ネットワーク５００を介して入場管理装置２００および携帯端末４００と通信可能に設けられる。また、サーバ装置３００は、チケット発行部３１０および記録部３２０を含む。
【００４６】
（チケット発行部３１０）
チケット発行部３１０は、識別情報６１０を付与したチケット６００を発行する装置である。
【００４７】
（記録部３２０）
記録部３２０は、識別情報６１０と、指紋特徴量７１０との組を記録する。
【００４８】
（携帯端末４００）
携帯端末４００は、購入者が指紋情報を登録するために用いるデバイスである。携帯端末４００は、例えば、スマートフォン、携帯電話、タブレット端末などである。携帯端末４００は、撮像部４１０、表示部４２０、画像処理部４３０を含む。
【００４９】
（撮像部４１０）
撮像部４１０は、指７００の指先を撮影し、指先画像を取得する装置である。指先画像は、少なくとも指紋の画像を含む。また、指先画像は指先の形状、肌色、関節の位置などの情報を含んでも良い。さらに、撮像部４１０は、ライトまたはフラッシュなど、光量を調節する機能を備えていてもよい。
【００５０】
（表示部４２０）
表示部４２０は、撮像部４１０を用いて撮影した画像を表示するスクリーンである。また、表示部４２０は、ガイド画像４２５を表示し、撮像部４１０による指７００の指先の撮影を補助してもよい。
【００５１】
（ガイド画像４２５）
図６は、ガイド画像４２５の一例を示す模式図である。
図６に示すように、ガイド画像４２５は、指７００の撮影位置、撮影距離を示すことによって、撮像部４１０による撮影を補助する。また、ガイド画像４２５は、指７００を撮影する場合に、指紋特徴量７１０の抽出に最適な位置または大きさになるように購入者に対して指示してもよく、指紋特徴量７１０の抽出に最適な光量になるように購入者に対して指示してもよく、ライトまたはフラッシュの有無を切り替えるボタンを表示してもよい。
【００５２】
（画像処理部４３０）
画像処理部４３０は、撮像部４１０が指７００を撮影する場合に、指先画像のクオリティチェックを行う装置である。また、画像処理部４３０は、指先画像に対して前処理を行い、指紋特徴量７１０を抽出する装置である。クオリティチェック、前処理および指紋特徴量７１０の抽出については後述する。
【００５３】
（チケット６００）
チケット６００は、イベントまたはコンサートなどの入場チケットである。チケット６００は、識別情報６１０を含む。チケット６００は、紙、磁気カード、ＩＣカード、電子チケットなど、任意の形態であってもよい。
【００５４】
（識別情報６１０）
識別情報６１０は、購入者を識別する情報である。識別情報６１０は、チケット６００に番号、文字、バーコード、ＱＲコード（登録商標）などの形で直接印字してもよく、磁気情報または電子情報として記録してもよい。
具体的に、識別情報は、電話番号、暗証番号、アルファベットまたは記号を含むものであってもよい。
【００５５】
（第１の実施の形態にかかるチケット発行手続）
図２は、第１の実施の形態にかかるチケット６００の発行手続の一例を示すフローチャートである。
【００５６】
まず、購入者は撮像部４１０を用いて指７００の指先を撮影し、指先画像を取得する（ステップＳ１１）。
画像処理部４３０は、指紋の情報が指先画像に十分含まれているかを確認するためのクオリティチェックを行う（ステップＳ１２）。具体的には、指先画像から隆線を含む領域を検出し、その中に隆線となりうるエッジ情報が基準値以上存在するかどうかを判定する（ステップＳ１３）。
エッジ情報が基準値以上存在しない場合（ステップＳ１３のＮｏ）、ステップＳ１１に戻る。
エッジ情報が基準値以上存在する場合（ステップＳ１３のＹｅｓ）、撮像部４１０による撮影を終了し、ステップＳ１４に進む。
このように、指７００を撮影する場合は、指紋特徴量７１０の抽出を行わず、クオリティチェックのみを行う。これによって、指７００を撮影する場合に画像処理部４３０による計算時間を短縮することができ、購入者は円滑に指紋登録を行うことができるという利点がある。
【００５７】
画像処理部４３０は、撮影された指先画像に対して以下に説明する前処理を行う（ステップＳ１４）。
まず、前提として、購入者が携帯端末４００を用いて撮影した指先画像は、必ずしも正面から撮影されているとは限らない。図７に示すように、撮影角度または撮影距離がぶれている可能性がある。また、指の形状または光の当たり方によっては指紋の隆線に部分的に不明瞭な部分が存在する可能性がある。
そこで、前処理として、異なる撮影距離からなる複数の指先画像が得られた場合は、同じ大きさになるように揃える処理を行う。
【００５８】
また、異なる撮影角度からなる複数の指先画像が得られた場合は、撮影角度を計算し、正面からの角度に変換する処理を行う。一つまたは少数の撮影角度からなる指先画像のみが得られ、正面からの角度を計算できない場合は、複数の撮影角度を仮定して変換処理を行う。
さらに、指先画像のうち指紋の隆線の情報が得られなかった部分については、別の撮影角度からなる指先画像を変換して合成することにより補完する処理を行う。
【００５９】
次に、画像処理部４３０は、指７００の指先画像から指紋特徴量７１０を抽出する（ステップＳ１５）。一つまたは少数の撮影角度からなる指先画像のみが得られ、複数の撮影角度を仮定した場合は、それぞれの指紋特徴量７１０を抽出する。
携帯端末４００は、指紋特徴量７１０をサーバ装置３００に送信する（ステップＳ１６）。
チケット発行部３１０は、識別情報６１０と指紋特徴量７１０との組を記録部３２０に記録する（ステップＳ１７）。また、チケット発行部３１０は、識別情報６１０を付与したチケット６００を発行する（ステップＳ１８）。
【００６０】
（第１の実施の形態にかかる指紋認証手続）
図３は、第１の実施の形態にかかる指紋認証手続の一例を示すフローチャートである。
【００６１】
まず、制御部２１０はチケット読取部２２０を介してチケット６００に付与された識別情報６１０を取得する（ステップＳ２１）。
画像処理部２４０は、カメラ２３０を介して指７０５の指先画像を取得する（ステップＳ２２）。
画像処理部２４０は、指７０５の指先画像に対して前処理を行う（ステップＳ２３）。具体的な処理はステップＳ１４におけるものと同様である。
画像処理部２４０は、前処理を行った指７０５の指先画像から指紋特徴量７１５を抽出する。制御部２１０は、画像処理部２４０から指紋特徴量７１５を取得する（ステップＳ２４）。
制御部２１０は、ネットワーク５００を介してサーバ装置３００に接続する（ステップＳ２５）。
【００６２】
制御部２１０は、記録部３２０を参照し、識別情報６１０に対応する指紋特徴量７１０と、指紋特徴量７１５とが一致するかどうかを判定する（ステップＳ２６）。
双方が一致する場合（ステップＳ２６のＹｅｓ）、購入者と入場者とが同一人物であると判定する（ステップＳ２７）。この場合、入場を許可させることができる。
双方が一致しない場合（ステップＳ２６のＮｏ）、購入者と入場者とが別人物であると判定する（ステップＳ２８）。この場合、入場を禁止させることができる。
【００６３】
以上のように、第１の実施の形態にかかるチケット販売システム１００は、購入者の携帯端末３００に指紋センサが搭載されていない場合であっても、指紋認証を実現できる。さらに、非接触の指紋認証を実現できる。
【００６４】
本発明においては、チケット販売システム１００が「チケット販売システム」に相当し、入場管理装置２００が「入場管理装置」に相当し、制御部２１０が「制御部」に相当し、チケット読取部２２０が「チケット読取部」に相当し、カメラ２３０が「指紋読取部」または「カメラ」に相当し、画像処理部２４０および画像処理部４３０が「画像処理部」に相当し、チケット発行部３１０が「チケット発行部」に相当し、記録部３２０が「記録部」に相当し、携帯端末４００が「携帯端末」に相当し、撮像部４１０が「撮像部」に相当し、表示部４２０が「表示部」に相当し、ガイド画像４２５が「ガイド画像」に相当し、チケット６００が「チケット」に相当し、識別情報６１０が「識別情報」に相当し、指紋特徴量７１０および指紋特徴量７１５が「指紋特徴量」に相当する。
【００６５】
（第２の実施の形態）
以下、第２の実施の形態にかかるチケット販売システム１００について説明を行う。第２の実施の形態にかかるチケット販売システム１００が、第１の実施の形態にかかるチケット販売システム１００と異なる点について主に説明する。したがって、説明を省略する部分については、第１の実施の形態にかかるチケット販売システム１００と同様のシステムである。
【００６６】
（第２の実施の形態にかかるチケット販売システム１００）
図４は、第２の実施の形態にかかるチケット販売システム１００の概略構成の一例を示す模式図である。
図４に示すように、第２の実施の形態にかかるチケット販売システム１００は、入場管理装置２００、サーバ装置３００、携帯端末４００、ネットワーク５００、およびチケット６００からなる。また、指７００は購入者による指紋の登録に用いられ、指７０５は入場者による指紋認証に用いられる。購入者と入場者とが同一人物である場合、指７００と指７０５とは同一である。
【００６７】
（入場管理装置２００）
第２の実施の形態において、入場管理装置２００は制御部２１０、チケット読取部２２０、指紋センサ２５０、および抽出部２６０を含む。
【００６８】
（制御部２１０）
制御部２１０は、チケット読取部２２０を介してチケット６００の識別情報６１０を取得する。また、制御部２１０は、抽出部２６０を介して指７０５の指紋特徴量７１５を取得する。さらに、制御部２１０は、ネットワーク５００を介してサーバ装置３００に接続し、指紋認証を行う。これらの処理の詳細については後述する。
【００６９】
（指紋センサ２５０）
指紋センサ２５０は、指７０５の指紋情報を読み取る、接触式の指紋センサである。
【００７０】
（抽出部２６０）
抽出部２６０は、指紋センサ２５０で読み取った指７０５の指紋情報から指紋特徴量７１５を抽出する装置である。
【００７１】
（第２の実施の形態にかかるチケット発行手続）
第２の実施の形態にかかるチケット６００の発行手続は、第１の実施の形態にかかるチケット６００の発行手続と次の部分を除いて同様である。
【００７２】
第２の実施の形態にかかるチケット販売システム１００においては、指７０５を指紋センサ２５０に軽く押しあてることにより、指紋特徴量７１５を抽出する。この場合、指７０５の指紋は平面に押しあてた形状に変形しており、そのままでは指紋特徴量７１５と指紋特徴量７１０とを正確に照合することができない。
そこで、ステップＳ１４の前処理において、指７００の指紋情報を平面に押しあてた形状に変換する処理を行う。この処理を行うことによって、指紋特徴量７１０と指紋特徴量７１５とを正確に照合することが可能になる。
【００７３】
（第２の実施の形態にかかる指紋認証手続）
図５は、第２の実施の形態にかかる指紋認証手続の一例を示すフローチャートである。
【００７４】
まず、制御部２１０はチケット読取部２２０を介してチケット６００に付与された識別情報６１０を取得する（ステップＳ３１）。
抽出部２６０は、指紋センサ２５０を介して指７０５から指紋情報を取得する（ステップＳ３２）。
抽出部２６０は、指紋情報から指紋特徴量７１５を抽出する。制御部２１０は、抽出部２６０から指紋特徴量７１５を取得する（ステップＳ３３）。
制御部２１０は、ネットワーク５００を介してサーバ装置３００に接続する（ステップＳ３４）。
制御部２１０は、記録部３２０を参照し、識別情報６１０に対応する指紋特徴量７１０と、指紋特徴量７１５とが一致するかどうかを判定する（ステップＳ３５）。
双方が一致する場合（ステップＳ３５のＹｅｓ）、購入者と入場者とが同一人物であると判定する（ステップＳ３６）。この場合、入場を許可させることができる。
双方が一致しない場合（ステップＳ３５のＮｏ）、購入者と入場者とが別人物であると判定する（ステップＳ３７）。この場合、入場を禁止させることができる。
【００７５】
以上のように、第２の実施の形態にかかるチケット販売システム１００は、購入者の携帯端末４００に指紋センサが搭載されていない場合であっても、指紋認証を実現できる。さらに、指紋センサ２５０は入場者の指紋情報を直接読み取るため、画像処理を行う必要がない。そのため、入場管理装置２００による指紋認証の処理速度を速くすることができる。
【００７６】
本発明においては、チケット販売システム１００が「チケット販売システム」に相当し、入場管理装置２００が「入場管理装置」に相当し、制御部２１０が「制御部」に相当し、チケット読取部２２０が「チケット読取部」に相当し、指紋センサ２５０が「指紋読取部」または「指紋センサ」に相当し、抽出部２６０が「抽出部」に相当し、チケット発行部３１０が「チケット発行部」に相当し、記録部３２０が「記録部」に相当し、携帯端末４００が「携帯端末」に相当し、撮像部４１０が「撮像部」に相当し、表示部４２０が「表示部」に相当し、ガイド画像４２５が「ガイド画像」に相当し、画像処理部４３０が「画像処理部」に相当し、チケット６００が「チケット」に相当し、識別情報６１０が「識別情報」に相当し、指紋特徴量７１０および指紋特徴量７１５が「指紋特徴量」に相当する。
【００７７】
（第３の実施の形態）
図８は、第３の実施の形態にかかる年齢確認システム１１０の概略構成の一例を示す模式図である。
以下、第３の実施の形態にかかる年齢確認システム１１０について説明を行う。第３の実施の形態にかかる年齢確認システム１１０は、第２の実施の形態にかかるチケット販売システム１００を年齢確認システムとして応用したものである。したがって、説明を省略する部分については、第２の実施の形態にかかるチケット販売システム１００と同様のシステムである。
【００７８】
（第３の実施の形態にかかる年齢確認システム１１０）
図８に示すように、第３の実施の形態にかかる年齢確認システム１１０は、サーバ装置３００、携帯端末４００、ネットワーク５００、年齢確認カード６０５および年齢確認機能付き自動販売機８００からなる。また、指７００は登録者による指紋の登録に用いられ、指７０５は利用者による指紋認証に用いられる。登録者と利用者とが同一人物である場合、指７００と指７０５とは同一である。
【００７９】
（年齢確認カード６０５）
年齢確認カード６０５は、タバコまたは酒など法律によって成人にのみ販売が許可されている商品を、年齢確認機能付き自動販売機８００から購入する場合に、利用者の年齢確認を行うために用いられる。年齢確認カード６０５は、識別情報６１０を含む。年齢確認カード６０５は、紙、磁気カード、ＩＣカード、電子チケットなど、任意の形態であってもよい。
【００８０】
（サーバ装置３００）
第３の実施の形態において、サーバ装置３００は記録部３２０および年齢確認カード発行部３３０を含む。
【００８１】
（年齢確認カード発行部３３０）
年齢確認カード発行部３３０は、身分証の提示などによって登録者が成人であることを確認した場合に限り、識別情報６１０を付与した年齢確認カード６０５を発行する装置である。
【００８２】
（年齢確認機能付き自動販売機８００）
年齢確認機能付き自動販売機８００は制御部８１０、年齢確認カード読取部８２０、指紋センサ８３０、および抽出部８４０を含む。
また、図１０は年齢確認機能付き自動販売機８００の一例を示す模式図である。年齢確認機能付き自動販売機８００は、タバコまたは酒など法律によって成人にのみ販売が許可されている商品を販売する。
【００８３】
（第３の実施の形態にかかる年齢確認カード発行手続）
第３の実施の形態にかかる年齢確認カード６０５の発行手続は、第２の実施の形態にかかるチケット６００の発行手続と次の部分を除いて同様である。
年齢確認カード発行部３３０は、身分証の提示などによって登録者が成人であることを確認した場合に限り、識別情報６１０を付与した年齢確認カード６０５を発行する。
【００８４】
（第３の実施の形態にかかる年齢確認手続）
図９は、第３の実施の形態にかかる年齢確認手続の一例を示すフローチャートである。
ステップＳ４１からステップＳ４５までは、第２の実施の形態にかかる指紋認証手続と同様である。
次に、制御部８１０は、識別情報６１０に対応する指紋特徴量７１０と、指紋特徴量７１５とが一致するかどうかを判定する（ステップＳ４５）。
双方が一致する場合、制御部８１０は商品の購入を許可する（ステップＳ４６）。
双方が一致しない場合、制御部８１０は商品の購入を許可しない（ステップＳ４７）。
【００８５】
以上のように、第３の実施の形態にかかる年齢確認手続１１０は、法律で販売が規制されている商品について、未成年者による他人の年齢確認カードを使った購入を防止できる。
【００８６】
なお、第３の実施の形態にかかる年齢確認システム１１０の別の例として、第１の実施の形態にかかるチケット販売システム１００を年齢確認システム１１０として応用してもよい。具体的には、指紋センサ８３０および抽出部８４０に代えてカメラ２３０および画像処理部２４０を設けてもよい。
【００８７】
本発明においては、年齢確認システム１１０が「年齢確認システム」に相当し、制御部８１０が「制御部」に相当し、年齢確認カード読取部８２０が「年齢確認カード読取部」に相当し、指紋センサ８３０が「指紋読取部」に相当し、年齢確認カード発行部３３０が「年齢確認カード発行部」に相当し、記録部３２０が「記録部」に相当し、携帯端末４００が「携帯端末」に相当し、撮像部４１０が「撮像部」に相当し、表示部４２０が「表示部」に相当し、画像処理部４３０が「画像処理部」に相当し、年齢確認カード６０５が「年齢確認カード」に相当し、識別情報６１０が「識別情報」に相当し、指紋特徴量７１０および指紋特徴量７１５が「指紋特徴量」に相当する。
【００８８】
（第４の実施の形態）
図１１は、第４の実施の形態にかかる予約システム１２０の概略構成の一例を示す模式図である。
以下、第４の実施の形態にかかる予約システム１２０について説明を行う。第４の実施の形態にかかる予約システム１２０は、第２の実施の形態にかかるチケット販売システム１００を予約システムとして応用したものである。したがって、説明を省略する部分については、第２の実施の形態にかかるチケット販売システム１００と同様のシステムである。
【００８９】
（第４の実施の形態にかかる予約システム１２０）
図１１に示すように、第４の実施の形態にかかる予約システム１２０は、サーバ装置３００、携帯端末４００、ネットワーク５００および解錠装置９００からなる。また、指７００は予約者による指紋の登録に用いられ、指７０５は利用者による指紋認証に用いられる。予約者と利用者とが同一人物である場合、指７００と指７０５とは同一である。
【００９０】
（解錠装置９００）
解錠装置９００は、制御部９１０、指紋センサ９２０、抽出部９３０を含む。
また、図１４は解錠装置９００の一例を示す模式図である。解錠装置９００は、宿泊施設またはレンタカーなど、貸渡しに供する施設や物（以下、施設等という。）の入口または扉などに設けられる。
【００９１】
（サーバ装置３００）
第４の実施の形態において、サーバ装置３００は記録部３２０および予約管理部３４０を含む。
【００９２】
（予約管理部３４０）
予約管理部３４０は、予約者が入力した施設等の利用開始時刻および利用終了時刻を用いて予約情報６２０を生成する。また、予約情報６２０と指紋特徴量７１０との組を記録部３２０に記録する。
【００９３】
（記録部３２０）
記録部３２０は予約情報６２０と指紋特徴量７１０との組を記録保持する。
【００９４】
（予約情報６２０）
予約情報６２０は、少なくとも予約者が予約した施設等に設けられた解錠装置９００の情報と、利用開始時刻および利用終了時刻の情報とを含む。
【００９５】
（第４の実施の形態にかかる予約手続）
図１２は、第４の実施の形態にかかる予約手続の一例を示すフローチャートである。
ステップＳ５１からステップＳ５５までは、第２の実施の形態にかかるチケット発行手続と同様である。
次に、予約者は施設等の利用開始時刻および利用終了時刻を携帯端末４００に入力する（ステップＳ５６）。
携帯端末４００は、指紋特徴量７１０と施設等の利用開始時刻および利用終了時刻とをサーバ装置３００に送信する（ステップＳ５７）。
予約管理部３４０は、施設等に設けられた解錠装置９００の情報と利用開始時刻および利用終了時刻とを含む予約情報６２０を生成する。予約管理部３４０は、予約情報６２０と指紋特徴量７１０との組を記録部３２０に記録する（ステップＳ５８）。
【００９６】
（第４の実施の形態にかかる解錠手続）
図１３は、第４の実施の形態にかかる解錠手続の一例を示すフローチャートである。
【００９７】
まず、予約管理部３４０は、予約情報６２０における施設等の利用開始時刻に、解錠装置９００に対してスタンバイ指示を送信する。制御部９１０はスタンバイ指示を受信する（ステップＳ６１）。
抽出部９３０は、指紋センサ９２０を介して指７０５から指紋情報を取得する（ステップＳ６２）。
抽出部９３０は、指紋情報から指紋特徴量７１５を抽出する。制御部９１０は、抽出部９３０から指紋特徴量７１５を取得する（ステップＳ６３）。
制御部９１０は、ネットワーク５００を介してサーバ装置３００に接続する（ステップＳ６４）。
制御部９１０は、記録部３２０を参照し、予約情報６２０に対応する指紋特徴量７１０と、指紋特徴量７１５とが一致するかどうかを判定する（ステップＳ６５）。
双方が一致する場合（ステップＳ６５のＹｅｓ）、制御部９１０は予約者と利用者とが同一人物であると判定し、解錠を行う（ステップＳ６６）。
双方が一致しない場合（ステップＳ６５のＮｏ）、制御部９１０は予約者と利用者とが別人物であると判定し、解錠を行わない（ステップＳ６７）。
【００９８】
以上のように、第４の実施の形態にかかる予約システム１２０は、指紋を鍵として予約した施設等の解錠を行うことができる。また、利用者は施設等の利用前に鍵を受け取る必要がなく、さらに利用中も鍵を持ち歩く必要がない。
【００９９】
なお、第４の実施の形態にかかる予約システム１２０の別の例として、第１の実施の形態にかかるチケット販売システム１００を予約システム１２０として応用してもよい。具体的には、指紋センサ９２０および抽出部９３０に代えてカメラ２３０および画像処理部２４０を設けてもよい。
【０１００】
本発明においては、予約システム１２０が「予約システム」に相当し、解錠装置９００が「解錠装置」に相当し、制御部９１０が「制御部」に相当し、指紋センサ９２０が「指紋読取部」に相当し、予約管理部３４０が「予約管理部」に相当し、記録部３２０が「記録部」に相当し、携帯端末４００が「携帯端末」に相当し、撮像部４１０が「撮像部」に相当し、表示部４２０が「表示部」に相当し、画像処理部４３０が「画像処理部」に相当し、予約情報６２０が「予約情報」に相当し、指紋特徴量７１０および指紋特徴量７１５が「指紋特徴量」に相当する。
【０１０１】
本発明の好ましい一実施の形態は上記の通りであるが、本発明はそれだけに制限されない。本発明の精神と範囲から逸脱することのない様々な実施形態が他になされることは理解されよう。さらに、本実施形態において、本発明の構成による作用および効果を述べているが、これら作用および効果は、一例であり、本発明を限定するものではない。
【符号の説明】
【０１０２】
１００  チケット販売システム
１１０  年齢確認システム
１２０  予約システム
２００  入場管理装置
２１０、８１０、９１０  制御部
２２０  チケット読取部
２３０  カメラ
２４０  画像処理部
２５０、８３０、９２０  指紋センサ
２６０、８４０、９３０  抽出部
３００  サーバ装置
３１０  チケット発行部
３２０  記録部
３３０  年齢確認カード発行部
３４０  予約管理部
４００  携帯端末
４１０  撮像部
４２０  表示部
４２５  ガイド画像
４３０  画像処理部
５００  ネットワーク
６００  チケット
６０５  年齢確認カード
６１０  識別情報
６２０  予約情報
７００、７０５  指
７１０、７１５  指紋特徴量
８００  年齢確認機能付き自動販売機
８２０  年齢確認カード読取部
９００  解錠装置
【図１】
2019152993.tif 000003
【図２】
2019152993.tif 000004
【図３】
2019152993.tif 000005
【図４】
2019152993.tif 000006
【図５】
2019152993.tif 000007
【図６】
2019152993.tif 000008
【図７】
2019152993.tif 000009
【図８】
2019152993.tif 000010
【図９】
2019152993.tif 000011
【図１０】
2019152993.tif 000012
【図１１】
2019152993.tif 000013
【図１２】
2019152993.tif 000014
【図１３】
2019152993.tif 000015
【図１４】
2019152993.tif 000016